【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
マルチメディアコンテンツを表すデジタルデータを受信してセキュアに記録する方法であって、
幾つかの機器のアイテムを有し、そのドメインの全ての機器に固有の識別子により定義される予め決定されたセキュアなドメインに属するレコーダ／レシーバによりセキュアなディスクに前記デジタルデータを記録するステップと、
前記レコーダ／レシーバのドメイン識別子をセキュアディスクに記録して、このドメインを、前記マルチメディアコンテンツのコピーが許可されるドメインとして定義するステップとを含み、
前記ディスクは、標準的なデータプロテクション方法によりセキュアにされ、
当該方法は、前記標準的なデータプロテクション方法に従って前記セキュアなディスクからディスクキーを取得する事前のステップを更に含み、
前記標準的なデータプロテクション方法に従って、前記ドメイン識別子は前記ディスクキーにより暗号化され、前記記録されたデジタルデータはタイトルキーによりスクランブルされ、
前記タイトルキーは、前記標準化されたデータプロテクション方法に従って前記ディスクキーにより暗号化される、
ことを特徴とする方法。
【請求項２】
前記マルチメディアコンテンツに付着する複製権を前記セキュアディスクに記録するステップを更に含み、
前記複製権は、前記マルチメディアコンテンツが自由にコピー可能であるか、前記マルチメディアコンテンツが決定されたドメインでのみコピー可能であるか、又は前記マルチメディアコンテンツがコピー可能であるかを定義する、
ことを特徴とする請求項１記載の受信及びセキュアに記録する方法。
【請求項３】
前記マルチメディアコンテンツを表すデジタルデータをセキュアに配信する方法であって、
レコーダ／レシーバからセキュアなディスクにマルチメディアコンテンツを表すデジタルデータを受信し、記録するステップと、前記記録ステップは、請求項１又は２記載の受信及びセキュアに記録する方法により実行され、
ある識別子により定義される特定のセキュアなドメインの識別子を記憶する手段を有する前記特定のセキュアなドメインにアクセスする装置から、前記特定のセキュアなドメインにおいて、前記記録されたデジタルデータをセキュアに供給するステップとを含み、
前記供給ステップは、
前記セキュアディスクで、前記アクセス装置により前記決定されたセキュアなドメインの識別子を読取るステップと、
前記セキュアディスクで読取られた識別子を、前記アクセス装置の記憶手段に記憶される識別子と比較するステップと、
前記セキュアディスクで読取られた識別子が前記アクセス装置の記憶手段に記憶された識別子に一致しないとき、前記デジタルデータの第一の動作モードを認可するように、前記デジタルデータを前記アクセス装置により供給するステップと、
前記セキュアディスクで読取られた識別子が前記アクセス装置の記憶手段に記憶された識別子に一致するとき、前記デジタルデータの第二の動作モードを認可するように、前記デジタルデータを前記アクセス装置により供給するステップと、
を含むセキュアな配信方法。
【請求項４】
前記デジタルデータの第一の動作モードを認可するように前記デジタルデータが供給されるとき、前記供給ステップは、適切なプロトコルに従って前記アクセス装置により前記デジタルデータをスクランブリングし、前記マルチメディアコンテンツのコピーを禁止し、前記デジタルデータが前記アクセス装置により読取られている間にのみ特定のドメインに属する表示装置での前記マルチメディアコンテンツの表示を認可するステップを含む、
請求項３記載のセキュアな配信方法。
【請求項５】
前記デジタルデータの第二の動作モードを認可するように前記デジタルデータが供給されるとき、前記供給ステップは、
前記セキュアディスクにプリレコードされる複製権を前記アクセス装置により読取るステップと、
前記マルチメディアコンテンツに付着する複製権を前記セキュアディスクで読取るステップと、前記複製権は、前記マルチメディアコンテンツが自由にコピー可能であるか、マルチメディアコンテンツが予め決定されたドメインでのみコピー可能であるか、又は前記マルチメディアコンテンツがコピー可能でないかを定義し、
前記セキュアディスクで読取られた複製権に従って定義されたプロトコルに従い、前記アクセス装置により前記デジタルデータをスクランブリングするステップと、
を含む請求項３又は４記載のセキュアな配信方法。
【請求項６】
読取られた複製権が前記決定されたドメインのみにおける前記マルチメディアコンテンツのコピーを認可するとき、前記供給するステップは、適切なプロトコルに従って前記アクセス装置により前記デジタルデータをスクランブリングし、前記決定されたドメインに属する機器でのみ前記マルチメディアコンテンツのコピー及び表示を認可する、
請求項５記載のセキュアな配信方法。
【請求項７】
前記複製権が前記マルチメディアコンテンツのコピーを禁止するとき、前記供給ステップは、適切なプロトコルに従って前記アクセス装置により前記デジタルデータをスクランブリングし、前記マルチメディアコンテンツのコピーを禁止し、前記デジタルデータが前記アクセス装置により読み取られる間、前記決定されたドメインに属する表示装置でのみ前記マルチメディアコンテンツの表示を認可する、
請求項５記載のセキュアな配信方法。
【請求項８】
前記複製権が前記マルチメディアコンテンツの自由なコピーを認可するとき、前記供給ステップは、適切なプロトコルに従って前記アクセス装置により前記デジタルデータをスクランブリングし、任意の機器での前記マルチメディアコンテンツのコピー及び表示を認可する、
請求項５記載のセキュアな配信方法。
【請求項９】
特定のセキュアなドメインにアクセスする装置であって、
標準的なデータプロテクション方法によりセキュアにされたディスクに記録されているマルチメディアコンテンツを表すデジタルデータを読取り、セキュアディスクで、決定されたセキュアなドメインの識別子を読み取る読取手段と、
当該アクセス装置が属する特定のドメインの識別子を記憶する手段と、
前記記憶手段に記憶された識別子を前記セキュアディスクで読取られた識別子と比較し、ディスクキーを使用してドメイン識別子を復号する手段と、
前記セキュアディスクで読取られた識別子が当該アクセス装置の前記記憶手段に記憶された識別子に一致しないとき、前記デジタルデータの第一の動作モードを認可するように、前記デジタルデータを供給し、前記セキュアディスクで読取られた識別子が当該アクセス装置の記憶手段に記憶された識別子に一致するとき、前記デジタルデータの第二の動作モードを認可するように、前記デジタルデータを供給する手段とを含み、
前記標準化されたデータプロテクション方法に従って前記セキュアディスクからディスクキーを取得し、前記ディスクキーを使用してドメイン識別子を復号する暗号／復号手段と、
前記ディスクキーを使用して前記セキュアディスクに記録された前記デジタルデータをデスクランブル可能なスクランブリング／デスクランブリング手段と、
を更に含むことを特徴とするアクセス装置。
【請求項１０】
幾つかの機器のアイテムを有するセキュアなドメインであって、前記ドメインの全ての機器に固有の識別子により定義されるセキュアなドメインに属するレコーダ／レシーバであって、
当該レコーダ／レシーバは、マルチメディアを表すデジタルデータを標準化されたデータプロテクション方法によりセキュアにされたディスクに記録し、
当該レコーダ／レシーバは、当該レコーダ／レシーバのドメイン識別子を前記セキュアディスクに記録し、このドメインを、前記マルチメディアコンテンツのコピーが認可される唯一のドメインとして定義し、
当該レコーダ／レシーバは、前記標準化されたデータプロテクション方法に従って前記セキュアディスクからディスクキーを取得し、前記標準化されたデータプロテクション方法に従ってタイトルキーにより前記デジタルデータをスクランブルし、前記タイトルキーは前記標準化されたデータプロテクション方法に従って前記ディスクキーにより暗号化され、前記ディスクキーを使用して前記識別子を暗号化し、前記スクランブルされたデジタルデータ及び前記暗号化された識別子を記録する、
ことを特徴とするレコーダ／レシーバ。